(57)【要約】【課題】エネルギ消費が小さく、且つ小型の装置構成のキーシステムを提供する。【解決手段】キー部２が、キー本体４、固有信号を発信可能なトランスポンダ６が設けられた手元部５、および磁気を発生する磁気発生部７を備え、キーシリンダ部３が、キー本体４が挿入されるキー孔９、トランスポンダ６との間で信号の送受信を行うアンテナ１０、アンテナ１０とトランスポンダ６との間で行われる信号の送受信制御を行う制御手段、および磁気を感知した場合に制御手段へ電力の供給を行うように動作する磁気感知部１１を備えてなる。【選択図】　図１
2004084248.tif 000002
【特許請求の範囲】
【請求項１】
キー部とキーシリンダ部とで構成されるキーシステムであって、
前記キー部が、キー本体、固有信号を発信可能なトランスポンダが設けられた手元部、および磁気を発生する磁気発生部を備え、
前記キーシリンダ部が、前記キー本体が挿入されるキー孔、前記トランスポンダとの間で信号の送受信を行うアンテナ、前記アンテナと前記トランスポンダとの間で行われる信号の送受信制御を行う制御手段、および前記磁気を感知した場合に前記制御手段へ電力の供給を行うように動作する磁気感知部を備えてなるキーシステム。
【請求項２】
前記キー孔を照射可能な照明装置を更に備え、前記磁気感知部が、前記磁気を感知した場合に前記照明装置への電力の供給を行うように動作する請求項１に記載のキーシステム。
【発明の詳細な説明】
【０００１】
【発明の属する技術分野】
本発明はキー部とキーシリンダ部とで構成され、不正な開錠に対する保安機能を有するキーシステムに関する。
【０００２】
【従来の技術】
従来から、不正なキーによる開錠を防止するためにイモビライザシステムと呼ばれるキーシステムが提供されている。従来のイモビライザシステムでは、キー本体をキーシリンダ部のキー孔に挿入することで、キーシリンダ部に設けられたコイルとキー部に設けられたコイルとの間で磁気回路が形成され、更にキーシリンダ部のコイルから送信される電磁信号に応答してキー部で発生した固有の信号をキーシリンダ部で受信して、その固有信号が正当な信号である場合にのみ開錠を許可するように構成されている（例えば、特許文献１を参照）。
【０００３】
【特許文献１】
特公平４−１５１４１号公報（第２頁、第１図）
【０００４】
【発明が解決しようとする課題】
しかしながら、従来型のイモビライザシステムでは、キー部（つまり、キーを持っている人間）がキーシリンダ部に対してどのタイミングで近づいてくるか不明であるため、アンテナから常に電磁信号を発して、キー部から固有信号が返されるのを待つ必要があった。従って、キーシリンダ部において消費される電力が大きいという問題があった。また、それに伴って電源の容量を大型にする必要があるため、キーシステムの装置構成の小型化を図ることも困難であった。
【０００５】
本発明は上記の問題点に鑑みてなされたものであり、その目的は、エネルギ消費が小さく、且つ小型の装置構成のキーシステムを提供する点にある。
【０００６】
【課題を解決するための手段】
上記課題を解決するための本発明に係るキーシステムの第一の特徴構成は、特許請求の範囲の欄の請求項１に記載の如く、キー部とキーシリンダ部とで構成されるキーシステムであって、前記キー部が、キー本体、固有信号を発信可能なトランスポンダが設けられた手元部、および磁気を発生する磁気発生部を備え、前記キーシリンダ部が、前記キー本体が挿入されるキー孔、前記トランスポンダとの間で信号の送受信を行うアンテナ、前記アンテナと前記トランスポンダとの間で行われる信号の送受信制御を行う制御手段、および前記磁気を感知した場合に前記制御手段へ電力の供給を行うように動作する磁気感知部を備えてなる点にある。
【０００７】
上記課題を解決するための本発明に係るキーシステムの第二の特徴構成は、特許請求の範囲の欄の請求項２に記載の如く、上記第一の特徴構成に加えて、前記キー孔を照射可能な照明装置を更に備え、前記磁気感知部が、前記磁気を感知した場合に前記照明装置への電力の供給を行うように動作する点にある。
【０００８】
以下に作用並びに効果を説明する。
本発明に係るキーシステムの第一の特徴構成によれば、磁気感知部が、キー部に装着された磁気発生部からの磁気を感知した場合にのみ、キーシリンダ部の制御手段に対する電力供給が行われるので、磁気感知部が磁気発生部から送信される磁気を感知していない場合（つまり、キー部を所持する者がキーシリンダ部の近辺に存在しない場合）には、制御手段に対する電力供給を停止するという省エネルギ動作を実施することができる。従って、キーシステムにおける消費電力の削減が可能となることで、キーシステムに対する電源の小型化を達成することもできる。
【０００９】
また、キー本体とトランスポンダとが偽造されたとしても、磁気感知部が磁気を感知しない限りは制御手段に電力供給が行われないのでキーシステムが開錠されることはなく、保安面からも有効である。
【００１０】
本発明に係るキーシステムの第二の特徴構成によれば、上記キーシリンダ部が、上記キー孔を照射可能な照明装置を更に備え、キー部に設けられた磁気発生部がキーシリンダ部に近接した場合、上記照明装置への電力供給を行うように動作することで、キー部を所持する人物がキー本体のキー孔への挿入を試みた際にキー孔を照らし出して、キー本体のキー孔への挿入を容易なものにすることができる。
【００１１】
【発明の実施の形態】
以下に図面を参照して本発明に係るキーシステムの構成について説明する。
図１（ａ）および図１（ｂ）に示すのは、キー部２とキーシリンダ部３とを備えてなるキーシステム１の斜視図である。また、図２には、キーシステム１の機能ブロック図を示す。図１および図２に示すように、キー部２は、固有信号を発信可能なトランスポンダ６と磁気を発生する磁気発生部７とが設けられた手元部５、およびキー本体４を備えて構成される。また、キーシリンダ部３は、開錠操作のためにキー本体４が挿入されるキー孔９（キーシリンダ８）、キー部２のトランスポンダ６との間で信号の送受信を行うアンテナ１０、アンテナ１０とトランスポンダ６との間で行われる信号の送受信制御を行う制御手段１２、および磁気発生部７から送信された磁気の感知状況によって制御手段１２への電力供給制御を行う磁気感知部１１を備えて構成される。ここで、磁気感知部１１は、磁気を感知した場合にオン状態となり、その結果、電源１３から制御手段１２への電力供給が行われるように動作する。尚、図示しないが、アンテナ１０は、送受信回路とコイルとで構成され、トランスポンダ６は、送受信回路とコイルと固有信号を記憶したＩＣとで構成される。尚、本発明に係るキーシステム１は様々な設備に装着可能であり、例えば、住宅の玄関錠や自動車のイグニッションキー用としても使用できる。
【００１２】
このキーシステムの開錠が行われるためには、後述するように、キー部２がキーシリンダ部３に近接し、制御手段１２によってキー部２から受信した固有信号の認証処理が行わることが必要であるが、その前に、磁気発生部７から送信される磁気が磁気感知部１１で感知されることで、制御手段１２への電力供給が行われている必要がある。制御手段１２への電力供給は磁気感知部１１に制御されており、本実施形態では電源１３と制御手段１２との間に、ガラス管中に２本のリード電極が封じ込められ、外部からの磁界の変化で２本のリード電極がオン状態（接触状態）とオフ状態（非接触状態）とに変移するリードスイッチなどで実現される磁気感知部１１が設けられている。尚、磁気感知部１１として使用可能な装置としては上述のリードスイッチに限定されず、例えば、ホールＩＣなどを使用することができる。
【００１３】
従って、キーシリンダ部３に対してキー部２が近接することで（好ましくは、図１（ｂ）に示すように、キー本体４がキー孔９に挿入されることで）、上述のような磁気感知部１１に対して磁石などの磁気源（キー部２の磁気発生部７）が近接した状態が形成された場合、その磁気を感知した磁気感知部１１は電源１３と制御手段１２との間の電気的な導通をオン状態にし、制御手段１２へ電力が供給されることとなる。
【００１４】
制御手段１２へ電力が供給されると、制御手段１２はアンテナ１０に対して外部へ電磁信号を送信させる。キーシリンダ部３に対してキー部２が近接し、アンテナ１０が備えるコイルとトランスポンダ６が備えるコイルとの間で磁気回路が形成されることで、アンテナ１０とトランスポンダ６との間で信号の送受信が可能となり、その結果、アンテナ１０からの電磁信号を受信したトランスポンダ６から、そのトランスポンダ６のＩＣが記憶している固有信号がアンテナ１０に対して送信される。アンテナ１０からその固有信号を伝達された制御手段１２は、その固有信号が正当な信号であるか否かを判定し、正当な信号であると判定した場合には、キー本体４がキー孔９に挿入され、開錠操作がされることを条件にキーシステム１の開錠を許可する。
【００１５】
以上のように、磁気感知部１１が、キー部２に設けられた磁気発生部７からの磁気を感知した場合にのみ、キーシリンダ部３の制御手段１２に対する電力供給が行われるので、磁気感知部１１が磁気発生部７から送信される磁気を感知していない場合（つまり、キー部２を所持する者がキーシリンダ部３の近辺に存在しない場合）には、制御手段１２に対する電力供給を停止するという省エネルギ動作を実施することができる。従って、キーシステム１における消費電力の削減が可能となることで、キーシステムに対する電源の小型化を達成することもでき、例えば、電源１３として小型の電池を利用することもできる。
【００１６】
また、キー本体４とトランスポンダ６（具体的には、ＩＣが記憶する固有信号）とが偽造されたとしても、磁気感知部１１が磁気を感知しない限りは制御手段１２に電力供給が行われないので、キーシステム１の保安レベルを向上させることができる。
【００１７】
＜別実施形態＞
＜１＞
図３（ａ）および図３（ｂ）に示すのは上述のキーシステムとは別のキーシステム２０の斜視図であり、キー部２とキーシリンダ部３０とを備えて構成される。このキーシステム２０は、図１および図２を参照して説明したキーシリンダ部３に加えて、キー孔９を照射可能な照明装置１４を更に備えて構成されている点で異なっている。照明装置１４は、例えば、ＬＥＤ（発光ダイオード）などで実現可能であり、その電力は磁気感知部１１を介して電源から供給される。従って、電源１３から照明装置１４への電力供給のオン状態とオフ状態とは、図１および図２を参照して説明した制御手段１２への電力供給のオン状態とオフ状態の変移と同様である。
【００１８】
つまり、キーシリンダ部３に対してキー部２が近接することで、上述のような磁気感知部１１に対して磁石などの磁気源（キー部２の磁気発生部７）が近接した状態が形成された場合、その磁気を感知した磁気感知部１１は電源１３と照明装置１４および制御手段１２との間の電気的な導通をオン状態にし、照明装置１４および制御手段１２へ電力が供給されることとなる。このように、キー部２に設けられた磁気発生部７がキーシリンダ部３０の磁気感知部１１に近接した場合、照明装置１４がオン状態にされることで、キー部２を所持する人物がキー本体４のキー孔９への挿入を試みた際にキー孔９を照らし出して、キー本体４のキー孔９への挿入を容易なものにすることができる。また、ＬＥＤのような照明装置１４へ供給される電力は小さくてもよく、その結果、キーシステムに対する電源の小型化を達成することができる。
【００１９】
＜２＞
上述の実施形態では、キーシステムにおける消費電力の削減を目的として、磁気発生部７と磁気感知部１１とを利用し、キー部を所持する者がキーシリンダ部の近辺に存在すること（好ましくは、キー本体４がキー孔９に挿入されること）を感知した場合に制御手段に対する電力供給を行う形態について説明を行ったが、他の装置構成を用いた場合にもキーシステムにおける消費電力の削減を達成可能である。例えば、キーシリンダ部の周囲に人体感知センサを設け、その人体感知センサが人間の接近を感知した場合に人体検出センサから送られてくる信号によって制御手段が起動するようなキーシステムを構成すればよい。そのためには、人体検出センサから送られてくる信号によってオフ状態からオン状態へと変移するスイッチを電源と制御手段との間に設けることで制御手段への電力供給を制御する構成や、電源から制御手段への電力供給は行っているが、通常は制御手段をスリープ状態にしておき、人体検出センサから送られてくる信号（トリガー信号）によって、制御手段が起動するような構成を採用することができる。
【００２０】
尚、人体感知センサには様々なセンサを利用することができ、例えば、一対の発光部と受光部とを備えてなる赤外線センサ、焦電型赤外線センサ、超音波センサ、マイクロ波センサ、音響センサなどが利用可能である。
【図面の簡単な説明】
【図１】（ａ）および（ｂ）は、本発明に係るキーシステムの斜視図である。
【図２】本発明に係るキーシステムの機能ブロック図である。
【図３】（ａ）および（ｂ）は、本発明に係る別のキーシステムの斜視図である。
【図４】本発明に係る別のキーシステムの機能ブロック図である。
【符号の説明】
１　キーシステム
２　キー部
３　キーシリンダ部
４　キー本体
５　手元部
６　トランスポンダ
７　磁気発生部
８　キーシリンダ
９　キー孔
１０　アンテナ
１１　磁気感知部
１２　制御手段
１３　電源
１４　照明装置
２０　キーシステム
３０　キーシリンダ部
【図１】
2004084248.tif 000003
【図２】
2004084248.tif 000004
【図３】
2004084248.tif 000005
【図４】
2004084248.tif 000006